(57)【特許請求の範囲】
【請求項１】
フード体４内に設けたフィルター１４と、送風機１５と、洗浄液タンク３０と、この洗浄液タンク３０内の洗浄液を前記フィルター１４に送る液体ポンプ３１を備え、送風機１５でフード体４内の空気をフィルター１４を通して屋外に排出し、洗浄液タンク３０内の洗浄液でフィルター１４を洗浄すると共に、その洗浄した洗浄液を洗浄液タンク３０に回収して再使用する洗浄装置付きレンジフードにおいて、
前記液体ポンプ３１は吸込み吐出部３２を有し、
前記フード体４は、フィルター１４を洗浄した洗浄液を排出する排水口３６を有し、
前記洗浄液タンク３０を上面が開口した箱形状とし、
固定ガイドレール４０と可動ガイドレール４１をスライド自在に連結し、その固定ガイドレール４０を前記フード体４に縦向きに取付けると共に、可動ガイドレール４１に前記洗浄液タンク３０を取付け、この可動ガイドレール４１を固定ガイドレール４０に沿ってスライドすることで、前記洗浄液タンク３０をフード体４内の所定位置とフード体４から離れた下方位置とに昇降自在とし、
前記洗浄液タンク３０が前記所定位置の時に、前記液体ポンプ３１の吸込み吐出部３２が洗浄液タンク３０内に突出すると共に、前記排水孔３６が洗浄液タンク３０内に臨むようにしたことを特徴とする洗浄装置付きレンジフード。
【請求項２】
フード体４内に設けたフィルター１４と、送風機１５と、洗浄液タンク３０と、この洗浄液タンク３０内の洗浄液を前記フィルター１４に送る液体ポンプ３１を備え、送風機１５でフード体４内の空気をフィルター１４を通して屋外に排出し、洗浄液タンク３０内の洗浄液でフィルター１４を洗浄すると共に、その洗浄した洗浄液を洗浄液タンク３０に回収して再使用する洗浄装置付きレンジフードにおいて、
前記液体ポンプ３１は吸込み吐出部３２を有し、
前記フード体４は、フィルター１４を洗浄した洗浄液を排出する排水口３６を有し、
前記洗浄液タンク３０を上面が開口した箱形状とし、
固定ガイドレール４０と可動ガイドレール４１をスライド自在に連結し、その固定ガイドレール４０を前記フード体４に縦向きに取付けると共に、可動ガイドレール４１にタンク台４３を取付け、このタンク台４３に前記洗浄液タンク３０を載置して着脱自在に取付け、この可動ガイドレール４１を固定ガイドレール４０に沿ってスライドすることで、前記洗浄液タンク３０をフード体４内の所定位置とフード体４から離れた下方位置とに昇降自在とし、
前記洗浄液タンク３０が前記所定位置の時に、前記液体ポンプ３１の吸込み吐出部３２が洗浄液タンク３０内に突出すると共に、前記排水孔３６が洗浄液タンク３０内に臨むようにしたことを特徴とする洗浄装置付きレンジフード。
【請求項３】
フード体４内に設けたフィルター１４と、送風機１５と、洗浄液タンク３０と、この洗浄液タンク３０内の洗浄液を前記フィルター１４に送る液体ポンプ３１を備え、送風機１５でフード体４内の空気をフィルター１４を通して屋外に排出し、洗浄液タンク３０内の洗浄液でフィルター１４を洗浄すると共に、その洗浄した洗浄液を洗浄液タンク３０に回収して再使用する洗浄装置付きレンジフードにおいて、
前記液体ポンプ３１は吸込み吐出部３２を有し、
前記フード体４は、フィルター１４を洗浄した洗浄液を排出する排水口３６を有し、
前記洗浄液タンク３０を上面が開口した箱形状とし、
前記フード体４の前面寄りに２本のアームの一端部を、他端部がフード体４の後面に向うように上下揺動自在にそれぞれ連結し、この２本のアームの他端部に前記洗浄液タンク３０を上下揺動自在にそれぞれ連結して平行リンクとすることで、前記洗浄液タンク３０をフード体４内の所定位置とフード体４から離れた下方位置とに昇降自在とし、
前記洗浄液タンク３０が前記所定位置の時に、前記液体ポンプ３１の吸込み吐出部３２が洗浄液タンク３０内に突出すると共に、前記排水孔３６が洗浄液タンク３０内に臨むようにしたことを特徴とする洗浄装置付きレンジフード。
【請求項４】
フード体４内に設けたフィルター１４と、送風機１５と、洗浄液タンク３０と、この洗浄液タンク３０内の洗浄液を前記フィルター１４に送る液体ポンプ３１を備え、送風機１５でフード体４内の空気をフィルター１４を通して屋外に排出し、洗浄液タンク３０内の洗浄液でフィルター１４を洗浄すると共に、その洗浄した洗浄液を洗浄液タンク３０に回収して再使用する洗浄装置付きレンジフードにおいて、
前記液体ポンプ３１は吸込み吐出部３２を有し、
前記フード体４は、フィルター１４を洗浄した洗浄液を排出する排水口３６を有し、
前記洗浄液タンク３０を上面が開口した箱形状とし、
前記フード体４の前面寄りに２本のアームの一端部を、他端部がフード体４の後面に向うように上下揺動自在にそれぞれ連結し、この２本のアームの他端部にタンク台４３を上下揺動自在にそれぞれ連結して平行リンクとし、
このタンク台４３に洗浄液タンク３０を載置して着脱自在に取付けることで、前記洗浄液タンク３０をフード体４内の所定位置とフード体４から離れた下方位置とに昇降自在とし、
前記洗浄液タンク３０が前記所定位置の時に、前記液体ポンプ３１の吸込み吐出部３２が洗浄液タンク３０内に突出すると共に、前記排水孔３６が洗浄液タンク３０内に臨むようにしたことを特徴とする洗浄装置付きレンジフード。
【発明の詳細な説明】
【０００１】
【発明の属する技術分野】
本発明は、フィルターを洗浄する装置を備えたレンジフードに関する。
【０００２】
【従来の技術】
従来一般に知られているレンジフードは、フード体の内部にフィルターを取付け、そのフード体内部にフィルターを境として吸込部と排出部を形成し、その排出部に排気用のファンを取付けたものである。
【０００３】
このレンジフードであれば、排気用のファンを駆動することで空気を吸込部より吸込み、その吸込んだ空気をフィルターを通して排出部に吸込み、排気ダクトなどを通して外部に排出することができる。
また、吸込んだ空気中の油分や水蒸気をフィルターで捕集でき、排気ダクトを流れる空気中の油分や水蒸気の量が著しく減少するので、排気ダクト内で油分や水蒸気が結露して排出ダクトより流れ出ることがない。
【０００４】
前述のレンジフードであると、フィルターに油分などが付着し、長時間使用すると付着した油分がフィルターから滴下し、レンジフードの下部、例えばレンジを汚したり、調理中の鍋の中に落下してしまう。このことを防止するにはフィルターを定期的に洗浄すれば良い。
【０００５】
しかしフィルターはフード体の内部に取付けてあるし、フード体はレンジの上方位置に取付けてあるので、洗浄を忘れがちであり、また気づいた時には長期間を経過している場合がほとんどであり、フィルターに汚れが固着しており、フィルターを洗浄することが大変面倒である。
【０００６】
そこで、本出願人は先に、フード体に洗浄液タンクと液体ポンプを取付け、液体ポンプで洗浄液タンク内の洗浄液をフィルター上部まで圧送し、その洗浄液をフィルターに沿って流すことでフィルターに付着した油分等を洗い流し、その洗浄液を洗浄液タンクに回収して再使用する洗浄液循環方式のフィルター洗浄装置を提案した。
【０００７】
【発明が解決しようとする課題】
先に提案した洗浄液循環方式のフィルター洗浄装置においては、フィルターに付着した油分等を洗浄した洗浄液を再使用するので、洗浄液が油分等で汚れ、ある一定期間洗浄液を繰り返し使用すると汚れ具合がひどくなり、洗浄液を交換する必要がある。
例えば、フード体から洗浄液タンクを取り外して古い洗浄液を排出し、新らしい洗浄液を補給して再びフード体に取付ける必要がある。
【０００８】
一方、通常レンジフードのフード体の取付位置はレンジ上面から８００ｍｍ以上とすることが消防条例により義務づけられている。このために、前述の洗浄液タンクはレンジ上面から８００ｍｍ以上の高い所に設置されることになる。
【０００９】
したがって、洗浄液タンクをフード体から取り外したり、取り付けるには使用者が手を延ばして無理な姿勢で行わなければならないし、洗浄液タンクは洗浄液が入っているから重いため、使用者が洗浄液タンクを取り外し、取り付けするのは大変であるし、危険である。特に、女性や高齢者などの使用者の場合には非常に大変で危険である。
このために、使用者が洗浄液を交換するのは大変である。
【００１０】
また、洗浄液タンクをフード体に取り付けたままの状態で古い洗浄液を排出し、新らしい洗浄液を補給して洗浄液を交換することも可能であるが、このようにして洗浄液を交換するためには高い位置の洗浄液タンクまで洗浄液を送る補給用のポンプなどを必要とする。
【００１１】
そこで、本発明は前述の課題を解決できるようにした洗浄装置付きレンジフードを提供することを目的とする。
【００１２】
【課題を解決するための手段】
第１の発明は、フード体４内に設けたフィルター１４と、送風機１５と、洗浄液タンク３０と、この洗浄液タンク３０内の洗浄液を前記フィルター１４に送る液体ポンプ３１を備え、送風機１５でフード体４内の空気をフィルター１４を通して屋外に排出し、洗浄液タンク３０内の洗浄液でフィルター１４を洗浄すると共に、その洗浄した洗浄液を洗浄液タンク３０に回収して再使用する洗浄装置付きレンジフードにおいて、
前記液体ポンプ３１は吸込み吐出部３２を有し、
前記フード体４は、フィルター１４を洗浄した洗浄液を排出する排水口３６を有し、
前記洗浄液タンク３０を上面が開口した箱形状とし、
固定ガイドレール４０と可動ガイドレール４１をスライド自在に連結し、その固定ガイドレール４０を前記フード体４に縦向きに取付けると共に、可動ガイドレール４１に前記洗浄液タンク３０を取付け、この可動ガイドレール４１を固定ガイドレール４０に沿ってスライドすることで、前記洗浄液タンク３０をフード体４内の所定位置とフード体４から離れた下方位置とに昇降自在とし、
前記洗浄液タンク３０が前記所定位置の時に、前記液体ポンプ３１の吸込み吐出部３２が洗浄液タンク３０内に突出すると共に、前記排水孔３６が洗浄液タンク３０内に臨むようにしたことを特徴とする洗浄装置付きレンジフードである。
【００１３】
第２の発明は、フード体４内に設けたフィルター１４と、送風機１５と、洗浄液タンク３０と、この洗浄液タンク３０内の洗浄液を前記フィルター１４に送る液体ポンプ３１を備え、送風機１５でフード体４内の空気をフィルター１４を通して屋外に排出し、洗浄液タンク３０内の洗浄液でフィルター１４を洗浄すると共に、その洗浄した洗浄液を洗浄液タンク３０に回収して再使用する洗浄装置付きレンジフードにおいて、
前記液体ポンプ３１は吸込み吐出部３２を有し、
前記フード体４は、フィルター１４を洗浄した洗浄液を排出する排水口３６を有し、
前記洗浄液タンク３０を上面が開口した箱形状とし、
固定ガイドレール４０と可動ガイドレール４１をスライド自在に連結し、その固定ガイドレール４０を前記フード体４に縦向きに取付けると共に、可動ガイドレール４１にタンク台４３を取付け、このタンク台４３に前記洗浄液タンク３０を載置して着脱自在に取付け、この可動ガイドレール４１を固定ガイドレール４０に沿ってスライドすることで、前記洗浄液タンク３０をフード体４内の所定位置とフード体４から離れた下方位置とに昇降自在とし、
前記洗浄液タンク３０が前記所定位置の時に、前記液体ポンプ３１の吸込み吐出部３２が洗浄液タンク３０内に突出すると共に、前記排水孔３６が洗浄液タンク３０内に臨むようにしたことを特徴とする洗浄装置付きレンジフードである。
【００１４】
第３の発明は、フード体４内に設けたフィルター１４と、送風機１５と、洗浄液タンク３０と、この洗浄液タンク３０内の洗浄液を前記フィルター１４に送る液体ポンプ３１を備え、送風機１５でフード体４内の空気をフィルター１４を通して屋外に排出し、洗浄液タンク３０内の洗浄液でフィルター１４を洗浄すると共に、その洗浄した洗浄液を洗浄液タンク３０に回収して再使用する洗浄装置付きレンジフードにおいて、
前記液体ポンプ３１は吸込み吐出部３２を有し、
前記フード体４は、フィルター１４を洗浄した洗浄液を排出する排水口３６を有し、
前記洗浄液タンク３０を上面が開口した箱形状とし、
前記フード体４の前面寄りに２本のアームの一端部を、他端部がフード体４の後面に向うように上下揺動自在にそれぞれ連結し、この２本のアームの他端部に前記洗浄液タンク３０を上下揺動自在にそれぞれ連結して平行リンクとすることで、前記洗浄液タンク３０をフード体４内の所定位置とフード体４から離れた下方位置とに昇降自在とし、
前記洗浄液タンク３０が前記所定位置の時に、前記液体ポンプ３１の吸込み吐出部３２が洗浄液タンク３０内に突出すると共に、前記排水孔３６が洗浄液タンク３０内に臨むようにしたことを特徴とする洗浄装置付きレンジフードである。
【００１５】
第４の発明は、フード体４内に設けたフィルター１４と、送風機１５と、洗浄液タンク３０と、この洗浄液タンク３０内の洗浄液を前記フィルター１４に送る液体ポンプ３１を備え、送風機１５でフード体４内の空気をフィルター１４を通して屋外に排出し、洗浄液タンク３０内の洗浄液でフィルター１４を洗浄すると共に、その洗浄した洗浄液を洗浄液タンク３０に回収して再使用する洗浄装置付きレンジフードにおいて、
前記液体ポンプ３１は吸込み吐出部３２を有し、
前記フード体４は、フィルター１４を洗浄した洗浄液を排出する排水口３６を有し、
前記洗浄液タンク３０を上面が開口した箱形状とし、
前記フード体４の前面寄りに２本のアームの一端部を、他端部がフード体４の後面に向うように上下揺動自在にそれぞれ連結し、この２本のアームの他端部にタンク台４３を上下揺動自在にそれぞれ連結して平行リンクとし、
このタンク台４３に洗浄液タンク３０を載置して着脱自在に取付けることで、前記洗浄液タンク３０をフード体４内の所定位置とフード体４から離れた下方位置とに昇降自在とし、
前記洗浄液タンク３０が前記所定位置の時に、前記液体ポンプ３１の吸込み吐出部３２が洗浄液タンク３０内に突出すると共に、前記排水孔３６が洗浄液タンク３０内に臨むようにしたことを特徴とする洗浄装置付きレンジフードである。
【００１８】
【作用】
第１の発明によれば、洗浄液タンク３０をフード体４内の所定位置とフード体４から離れた下方位置に昇降できる。
これによって、洗浄液タンク３０を容易にフード体４よりも下方で使用者の目前著しくはそれ以下の高さまで下降することができ、使用者が無理な姿勢をする必要なく洗浄液タンク３０内の古い洗浄液を排出して新らしい洗浄液を補給できる。しかも、新らしい洗浄液を補給した洗浄液タンク３０を容易にフード体４内の所定位置に上昇できる。
したがって、洗浄液タンク３０内の洗浄液を使用者が容易に交換できる。
また、可動ガイドレール４１が固定ガイドレール４０に沿ってスライドすることで洗浄液タンク３０を昇降するので、洗浄液タンク３０は昇降時に振れ動いたり、グラついたり、ひっかかったりすることがなくスムーズに昇降する。
これによって、洗浄液タンク３０を昇降する時に洗浄液がこぼれ落ちることを防止できる。
【００１９】
第２の発明によれば、第１の発明と同様な作用をすると共に、タンク台４３が昇降するし、そのタンク台４３に洗浄液タンク３０を置くだけで取り付けできるし、洗浄液タンク３０を持ち上げただけで取り外しできるから、洗浄液タンク３０を使用者が無理な姿勢をせずに容易にタンク台４３に取り付け、取り外しできる。
これによって、使用者が無理な姿勢をせずに容易に洗浄液タンク３０を取り外して他の場所まで運んで古い洗浄液を排出し、新しい洗浄液を補給して再び取付けてフード体４内の所定位置まで移動できる。
したがって、洗浄液タンク３０内の洗浄液をフード体４の下方位置とは別の場所で容易に交換でき、レンジに洗浄液がかかることがない。
【００２０】
第３の発明によれば、洗浄液タンク３０をフード体４内の所定位置とフード体４から離れた下方位置に昇降できる。
これによって、洗浄液タンク３０を容易にフード体４よりも下方で使用者の目前著しくはそれ以下の高さまで下降することができ、使用者が無理な姿勢をする必要なく洗浄液タンク３０内の古い洗浄液を排出して新らしい洗浄液を補給できる。しかも、新らしい洗浄液を補給した洗浄液タンク３０を容易にフード体４内の所定位置に上昇できる。
したがって、洗浄液タンク３０内の洗浄液を使用者が容易に交換できる。
また、洗浄液タンク３０は平行に昇降してフード体４内の所定位置とフード体４から離れた下方位置に移動でき、洗浄液タンク３０を昇降する時に内部の洗浄液がこぼれ落ちることがない。
【００２１】
第４の発明によれば、第３の発明と同様な作用をすると共に、タンク台４３とともに洗浄液タンク３０を下方位置に移動するとタンク台４３と洗浄液タンク３０はフード体４内の所定位置の時よりもフード体４の前面寄りに移動するし、タンク台４３に洗浄液タンク３０を置くだけで取付けでき、持ち上げるだけで取り外しできる。
これによって、レンジの手前近くから洗浄液タンク３０をタンク台４３から容易に取り外したり、取り付けできる。
これによって、使用者が無理な姿勢をせずに容易に洗浄液タンク３０を取り外して他の場所まで運んで古い洗浄液を排出し、新らしい洗浄液を補給して再び取付けてフード体４内の所定位置まで移動できる。
したがって、洗浄液タンク３０内の洗浄液をフード体４の下方位置とは別の場所で容易に交換でき、レンジに洗浄液がかかることがない。
【００２５】
【発明の実施の形態】
図１に示すように、フード本体１と仕切板２とフィルター取付体３でフード体４としてある。フード本体１は上面板５と後面板６と前面板７と左右の側面板８で下面が開口した箱状である。仕切板２は背面板６、左右の側面板８の下部寄りにほぼ水平に取付けてある。フィルター取付体３は前縦板９と後縦板１０と下横板１１と左右の縦板１２で箱形状である。前記前縦板９の開口部１３の後面にフィルター１４が取付けてあり、後縦板１０の後方に送風機１５が設けてある。
【００２６】
前記送風機１５はケーシング１６内にファン１７を設け、このファン１７をモータ１８で回転駆動するものである。このケーシング１６の入口１９が前記後縦板１０の開口部２０と連続し、送風機１５を駆動することでフード体４内の空気がフィルター１４を経て吸い込みされて図示しないダクト等で屋外に排出される。これによって、レンジフードを形成している。
【００２７】
前記仕切板２の下面に洗浄液タンク３０が設置され、仕切板２に取付けた液体ポンプ３１の吸込み吐出部３２が洗浄液タンク３０内に突出し、その吸込み吐出部３２に接続したパイプ３３が洗浄液樋３４内に突出している。この洗浄液樋３４はフィルター１４の上部と対向した複数の洗浄液ノズル３５を有し、洗浄液タンク３０内の洗浄液は洗浄液ノズル３５からフィルター１４の上部に噴出し、その洗浄液はフィルター１４に沿って流れ、排水口３６から洗浄液タンク３０内に流れ落ちる。
【００２８】
このようであるから、フィルター１４に付着した油分等は洗浄液で洗浄され、その洗浄液は洗浄した油分とともに洗浄液タンク３０内に回収されて再使用される。これによって洗浄液循環方式のフィルター洗浄装置を形成し、洗浄装置付きレンジフードを形成している。
【００２９】
図２と図３に示すように、仕切板２に左右一対の固定ガイドレール４０が縦向きに固着してあり、この各固定ガイドレール４０に沿って可動ガイドレール４１がスライド自在に設けられて左右一対のスライドレール４２を形成している。左右の可動ガイドレール４１間に亘ってタンク台４３が取付けてあり、このタンク台４３に洗浄液タンク３０が着脱自在に取付けてある。
【００３０】
前記固定ガイドレール４０と可動ガイドレール４１は図４に示すように断面コ字状の長尺材で、両者の開口部が向い合うようにスライド自在に嵌合してスライドレール４２を形成している。前記タンク台４３は左右の側部支持部４４と、この左右の側部支持部４４の後部側間に一体的に設けた後部支持部４５で平面形状が前方に向けて開口したコ字状で、側部支持部４４、後部支持部４５は支持横片４４ａ，４５ａと立上り片４４ｂ，４５ｂでＬ字状となった受け部を有する。
【００３１】
洗浄液タンク３０は上面が開口した箱形状で、その開口縁に取付用フランジ４６を有し、その取付用フランジ４６の下面を各支持横片４４ａ，４５ａに載置すると図５に示すように取付用フランジ４６の外端面が各立上り片４４ｂ，４５ｂと対向するようにしてある。
【００３２】
このようであるから、洗浄液タンク３０をタンク台４３に置くだけで簡単に取付けできるし、持ち上げるだけで簡単に取り外しできる。しかも、洗浄液タンク３０を取付けた状態で洗浄液タンク３０の取付用フランジ４６の外端面が各立上り片４４ｂ，４５ｂに干渉し、振動などで洗浄液タンク３０がタンク台４３から外れて脱落することを防止できる。
【００３３】
図２，図３の状態から、可動ガイドレール４１を固定ガイドレール４０に沿って下方にスライドすることで図６，図７に示すようにタンク台４３とともに洗浄液タンク３０がフード体４から離れた下方位置となるので、その洗浄液タンク３０内の古い洗浄液を低い位置で排出し、新らしい洗浄液を補給できる。
【００３４】
また、タンク台４３から洗浄液タンク３０を取り外して任意の場所まで運び、古い洗浄液を排出して新らしい洗浄液を補給し、再び洗浄液タンク３０をタンク台４３に置いて取り付けることができるから、洗浄液タンク３０内の洗浄液を任意の場所で容易に交換できる。
【００３５】
図６，図７の状態から可動ガイドレール４１を固定ガイドレールに沿って上方にスライドすることで図２，図３に示すように、タンク台４３とともに洗浄液タンク３０が上方に移動し仕切板２の下面に接したフード体４内の所定位置となる。つまり、左右のスライドレール４２とタンク台４３で洗浄液タンク３０をフード体４内の所定位置とフード体４から離れた下方位置に昇降ガイドする昇降機構を形成している。
【００３６】
前記可動ガイドレール４１を上下にスライドするには電動モータを用いても良いし、手動でも良い。例えば、電動モータでピニオンを回転し、このピニオンと噛合したラックを可動ガイドレール４１に取付け、電動モータでピニオンを正転、逆転することで可動ガイドレール４１を上下にスライドする。
【００３７】
また、電動モータで巻取ドラムを回転し、その巻取ドラムにワイヤーを巻掛け、そのワイヤーを可動ガイドレール４１に連結し、電動モータで巻取ドラムを正転、逆転することでワイヤーを巻き取り、繰り出して可動ガイドレール４１を上下にスライドする。
【００３８】
また、可動ガイドレールにワイヤーを連結し、このワイヤーを使用者が手で引張ったり、弛めることで可動ガイドレールを上下にスライドする。この場合には可動ガイドレールをスプリング等で上方にスライド付勢することで上方にスライドするための力を低減できる。また、ワイヤーの代りに引張り棒を用いることもできる。
【００３９】
なお、スライドレール４２は左右一対ではなく、左右中間部に１つだけ取付けても良い。また、スライドレール４２の可動ガイドレール４１に洗浄液タンク３０を取付けても良い。
【００４０】
次に本発明の第２の実施の形態を説明する。
図８と図９に示すように、仕切板２の前端寄りに左右一対のブラケット５０が取付けてあり、この各ブラケット５０に第１アーム５１と第２アーム５２の一端部が第１ピン５３と第２ピン５４で上下揺動自在に連結してある。第１アーム５１と第２アーム５２の他端部をタンク台４３の左右の側部支持部４４に第３ピン５５と第４ピン５６で上下揺動自在に連結してある。前記第１アーム５１と第２アーム５２は平行リンクを形成している。
【００４１】
前記洗浄液タンク３０とタンク台４３は前述の図４，図５に示す形状と同一で、タンク台４３に洗浄液タンク３０を簡単に取り付け、取り外しできる。
【００４２】
このようであるから、第１アーム５１と第２アーム５２を上方に揺動することでタンク台４３とともに洗浄液タンク３０が上方に平行移動して図８に示すように仕切板２の下面に接したフード体４内の所定位置に移動する。
また、第１アーム５１と第２アーム５２を下方に揺動することでタンク台４３とともに洗浄液タンク３０が下方に平行移動して図１０に示すようにフード体４から離れた下方位置に移動する。つまり、第１アーム５１と第２アーム５２とタンク台４３で洗浄液タンク３０をフード体４内の所定位置とフード体４から離れた下方位置に昇降ガイドする昇降機構を形成している。
【００４３】
しかも、第１アーム５１と第２アーム５２が仕切板２の前面寄りに連結され、下方に揺動した時にタンク台４３とともに洗浄液タンク３０がフード体４の前面寄りに移動するので、レンジの手前側から洗浄液の交換ができるし、タンク台４３から洗浄液タンク３０を容易に取り外し、取り付けできる。
【００４４】
前記第１ピン５３と第２ピン５４は左右方向に位置がずれ、かつ同一高さで、前後方向に所定ピッチずれている。前記第３ピン５５と第４ピン５６は同一高さで前後方向に前記所定ピッチと同一ピッチずれているし、第３ピン５５よりも第４ピン５６が長い。
【００４５】
このようであるから、第１アーム５１と第２アーム５２は左右方向にずれて両アームを図８に示すように同一高さまで上方に揺動することができるし、洗浄液タンク３０をフード体４内の所定位置とした時に第１アーム５１と第２アーム５２が重なり合ってコンパクトになり、目立りことがないから見栄えが良い。
【００４６】
前記第１・第２アーム５１，５２を上下に揺動するには電動モータを用いても良いし、手動でも良い。例えば、電動モータで第１ピン５３と第２ピン５４又は第１ピン５３と第２ピン５４の一方を回転動する。また、電動モータで巻取ドラムを回転し、その巻取ドラムにワイヤーを巻掛け、そのワイヤーを第１アーム５１と第２アーム５２又は第１アーム５１と第２アーム５２の一方に連結する。
【００４７】
また、第１アーム５１と第２アーム５２又は第１アーム５１と第２アーム５２の一方にワイヤーを連結し、このワイヤーを使用者が手で引張ったり、弛めることで第１・第２アーム５１，５２を上下に揺動する。この場合には第１・第２アーム５１，５２をスプリング等で上方に揺動付勢することで上方に揺動するための力を低減できる。また、ワイヤーの代りに引張り棒を用いることもできる。
【００４８】
なお、第１・第２アーム５１，５２を洗浄液タンク３０に上下揺動自在に連結しても良い。
【００４９】
【発明の効果】
請求項１に係る発明によれば、洗浄液タンク３０をフード体４内の所定位置とフード体４から離れた下方位置に昇降できる。
これによって、洗浄液タンク３０を容易にフード体４よりも下方で使用者の目前著しくはそれ以下の高さまで下降することができ、使用者が無理な姿勢をする必要なく洗浄液タンク３０内の古い洗浄液を排出して新らしい洗浄液を補給できる。しかも、新らしい洗浄液を補給した洗浄液タンク３０を容易にフード体４内の所定位置に上昇できる。
したがって、洗浄液タンク３０内の洗浄液を使用者が容易に交換できる。
また、可動ガイドレール４１が固定ガイドレール４０に沿ってスライドすることで洗浄液タンク３０を昇降するので、洗浄液タンク３０は昇降時に振れ動いたり、グラついたり、ひっかかったりすることがなくスムーズに昇降する。
これによって、洗浄液タンク３０を昇降する時に洗浄液がこぼれ落ちることを防止できる。
【００５０】
請求項２に係る発明によれば、請求項１に係る発明と同様な効果を有すると共に、タンク台４３が昇降するし、そのタンク台４３に洗浄液タンク３０を置くだけで取り付けできるし、洗浄液タンク３０を持ち上げただけで取り外しできるから、洗浄液タンク３０を使用者が無理な姿勢をせずに容易にタンク台４３に取り付け、取り外しできる。
これによって、使用者が無理な姿勢をせずに容易に洗浄液タンク３０を取り外して他の場所まで運んで古い洗浄液を排出し、新しい洗浄液を補給して再び取付けてフード体４内の所定位置まで移動できる。
したがって、洗浄液タンク３０内の洗浄液をフード体４の下方位置とは別の場所で容易に交換でき、レンジに洗浄液がかかることがない。
【００５１】
請求項３に係る発明によれば、洗浄液タンク３０をフード体４内の所定位置とフード体４から離れた下方位置に昇降できる。
これによって、洗浄液タンク３０を容易にフード体４よりも下方で使用者の目前著しくはそれ以下の高さまで下降することができ、使用者が無理な姿勢をする必要なく洗浄液タンク３０内の古い洗浄液を排出して新らしい洗浄液を補給できる。しかも、新らしい洗浄液を補給した洗浄液タンク３０を容易にフード体４内の所定位置に上昇できる。
したがって、洗浄液タンク３０内の洗浄液を使用者が容易に交換できる。
また、洗浄液タンク３０は平行に昇降してフード体４内の所定位置とフード体４から離れた下方位置に移動でき、洗浄液タンク３０を昇降する時に内部の洗浄液がこぼれ落ちることがない。
【００５２】
請求項４に係る発明によれば、請求項３に係る発明と同様な効果を有すると共に、タンク台４３とともに洗浄液タンク３０を下方位置に移動するとタンク台４３と洗浄液タンク３０はフード体４内の所定位置の時よりもフード体４の前面寄りに移動するし、タンク台４３に洗浄液タンク３０を置くだけで取付けでき、持ち上げるだけで取り外しできる。
これによって、レンジの手前近くから洗浄液タンク３０をタンク台４３から容易に取り外したり、取り付けできる。
これによって、使用者が無理な姿勢をせずに容易に洗浄液タンク３０を取り外して他の場所まで運んで古い洗浄液を排出し、新らしい洗浄液を補給して再び取付けてフード体４内の所定位置まで移動できる。
したがって、洗浄液タンク３０内の洗浄液をフード体４の下方位置とは別の場所で容易に交換でき、レンジに洗浄液がかかることがない。
【図面の簡単な説明】
【図１】洗浄装置付きレンジフードの説明図である。
【図２】洗浄液タンクをフード体内の所定位置に取付けた状態を示すフード本体を破断した側面図である。
【図３】図２のＡ−Ａ断面図である。
【図４】スライドレールとタンク台と洗浄液タンクの斜視図である。
【図５】タンク台に洗浄液タンクを取付けた状態の斜視図である。
【図６】洗浄液タンクを下方に移動した状態を示すフード本体を破断した側面図である。
【図７】図６のＢ−Ｂ断面図である。
【図８】洗浄液タンクをフード体内の所定位置に取付けた第２の実施の形態を示すフード本体を破断した側面図である。
【図９】アームとタンク台の斜視図である。
【図１０】洗浄液タンクを下方位置とした状態を示すフード本体を破断した側面図である。
【符号の説明】
１…フード本体、２…仕切板、３…フィルター取付体、４…フード本体、１４…フィルター、１５…送風機、３０…洗浄液タンク、３１…液体ポンプ、３３…パイプ、４０…固定ガイドレール、４１…可動ガイドレール、４２…スライドレール、４３…タンク台、５０…ブラケット、５１…第１アーム、５２…第２アーム。
【図１】
0004217991.tif 000002
【図２】
0004217991.tif 000003
【図３】
0004217991.tif 000004
【図４】
0004217991.tif 000005
【図５】
0004217991.tif 000006
【図６】
0004217991.tif 000007
【図７】
0004217991.tif 000008
【図８】
0004217991.tif 000009
【図９】
0004217991.tif 000010
【図１０】
0004217991.tif 000011